(57)【特許請求の範囲】
【請求項１】
円周方向に所要間隔で配された複数の貫通孔(2) を有する外ドラム(1) と、各貫通孔(2) に挿通されている複数の出入れロッド(4) と、これらの出入れロッド(4) を支持する内ドラム(3) と、内ドラム(3) に設けられてプラスチック類(11)が付着するよう出入れロッド(4) を加熱する加熱装置(5) と、紙類(10)およびプラスチック類(11)を含む破砕廃棄物を外ドラム(1) 上に投下する破砕廃棄物投下装置(6) と、外ドラム(1) の下方に配置されて外ドラム(1) 表面から離脱した紙類(10)を受ける紙類受け槽(7) と、外ドラム(1) の紙類離脱点より回転方向前方に配置されて外ドラム(1) に付着したプラスチック類(11)を掻き取る掻き取り装置(8) と、外ドラム(1) の下方に配置されて外ドラム(1) 表面および出入れロッド(4) から離脱したプラスチック類(11)を受けるプラスチック類受け槽(9) とを備えており、内ドラム軸(3a)が外ドラム軸(1a)に対して掻き取り装置(8) 方向の逆側に偏心させられかつ内ドラム(3) および外ドラム(1) が同期して回転させられているプラスチック分別装置。
【請求項２】
出入れロッド(4) の温度が１７０℃〜２２０℃である請求項１記載のプラスチック分別装置。
【発明の詳細な説明】
【０００１】
【発明の属する技術分野】
この発明は、例えば、分別破砕された紙類とプラスチック類の混合廃棄物からプラスチック類を分離するプラスチック分別装置に関する。
【０００２】
【従来の技術】
従来、紙類とプラスチック類の混合廃棄物からプラスチック類を分離するプラスチック分別装置としては、両者の比重差を利用する風力選別装置、静電気を利用した静電分離装置および両者を水に浸して紙をパルプ繊維化した後フィルターを通す湿式分離装置が知られている。
【０００３】
【発明が解決しようとする課題】
上記従来の風力選別装置では、紙類とプラスチック類との比重差が接近しており、両者の分離がしにくいという問題があり、また、上記従来の静電分離装置は、重さが異なる被選別物に対しては、付着力の関係から適用が困難であるという問題があった。さらに、上記従来の湿式分離装置では、分離後のプラスチック類を乾燥させなければならない上に、木片を含む廃棄物の場合には木片がプラスチック類と共に回収されてしまうという問題があった。
【０００４】
この発明の目的は、上記の問題点を解決し、紙類、プラスチック類および木片などが混入した分別破砕廃棄物からプラスチック類のみを効率よく分別することができるプラスチック分別装置を提供することにある。
【０００５】
【課題を解決するための手段】
この発明によるプラスチック分別装置は、円周方向に所要間隔で配された複数の貫通孔を有する外ドラムと、各貫通孔に挿通されている複数の出入れロッドと、これらの出入れロッドを支持する内ドラムと、内ドラムに設けられてプラスチック類が付着するよう出入れロッドを加熱する加熱装置と、紙類およびプラスチック類を含む破砕廃棄物を外ドラム上に投下する破砕廃棄物投下装置と、外ドラムの下方に配置されて外ドラム表面から離脱した紙類を受ける紙類受け槽と、外ドラムの紙類離脱点より回転方向前方に配置されて外ドラムに付着したプラスチック類を掻き取る掻き取り装置と、外ドラムの紙類離脱点より回転方向前方に配置されて外ドラムに付着したプラスチック類を掻き取る掻き取り装置と、外ドラムの下方に配置されて外ドラム表面および出入れロッドから離脱したプラスチック類を受けるプラスチック類受け槽とを備えており、内ドラム軸が外ドラム軸に対して掻き取り装置方向の逆側に偏心させられかつ内ドラムおよび外ドラムが同期して回転させられているものである。
【０００６】
出入れロッドの温度は、１７０℃〜２２０℃であることが好ましい。
【０００７】
【発明の実施の形態】
この発明の実施の形態を、以下図面を参照して説明する。
【０００８】
この発明のプラスチック分別装置を示しており、図１に示すように、円周方向に等間隔で配された複数の貫通孔(2) を有する外ドラム(1) と、各貫通孔(2) に挿通されている複数の出入れロッド(4) と、これらの出入れロッド(4) を支持する内ドラム(3) と、内ドラム(3) に設けられてプラスチック類(11)が付着するよう出入れロッド(4) を加熱する加熱装置(5) と、紙類(10)およびプラスチック類(11)を含む破砕廃棄物を外ドラム(1) 上に投下する破砕廃棄物投下コンベヤ(6) と、外ドラム(1) の下方に配置されて外ドラム(1) 表面から離脱した紙類(10)を受ける紙類受け槽(7) と、外ドラム(1) の紙類離脱点より回転方向前方に配置されて外ドラム(1) に付着したプラスチック類(11)を掻き取る掻き取り装置(8) と、掻き取り装置(8) 下方に設けられたプラスチック類受け槽(9) とを備えている。
【０００９】
破砕廃棄物投下コンベヤ(6) の上方には、廃棄物を破砕して紙、プラスチックおよび木片などが混入した破砕廃棄物とし、これをコンベヤ(6) 上に投下する分別破砕装置(12)が配置されている。
【００１０】
加熱装置(5) は、内ドラム(3) 内に円周方向に等間隔で配置されて各出入れロッド(4) をそれぞれ加熱する複数の電熱ヒータよりなる。
【００１１】
内ドラム(3) と外ドラム(1) とは、同期して時計方向に回転するが、同心ではなく、内ドラム軸(3a)が外ドラム軸(1a)に対して水平方向でかつ紙類離脱点に近づく向き（図の３時の方向）に偏心させられている。したがって、出入れロッド(4) は、３時の位置にあるときに外ドラム(1) の表面より最も突出しており、この位置から両ドラム(1)(3)が回転するのに伴って、突出量が徐々に減少し、９時の位置にきたときほぼゼロとなり、その後再び徐々に増加していく。
【００１２】
掻き取り装置(8) は、時計方向に回転する回転ブラシよりなり、出入れロッド(4) の突出量がほぼゼロとなる９時の位置に配置されている。各出入れロッド(4) は、フレキシビリティを有しており、貫通孔(2) の縁部にこすられながら、突出・退入を繰り返す。出入れロッド(4) の温度は、プラスチック類(9) が付着しやすい１７０℃〜２２０℃とされている。
【００１３】
なお、上記の実施例では、掻き取り装置(8) は、９時の位置に配置されているが、これに限られるものではなく、６時から９時までの位置に配置されていればよい。この場合に、出入れロッド(4) の突出量がほぼゼロとなる位置に掻き取り装置(8) が位置するよう、内ドラム軸(3a)が外ドラム軸(1a)に対して掻き取り装置(8) 方向の逆側（１２時から３時までの方向）に偏心させられる。
【００１４】
このプラスチック分別装置によると、紙類(10)およびプラスチック類(11)を含む破砕廃棄物が回転中の外ドラム(1) 上に投下されると、破砕廃棄物のうち、プラスチック類(9) は、加熱された出入れロッド(4) に接触し、溶融付着する。紙類（木片などのプラスチック類(9) 以外の破砕廃棄物を含む）(10)は、外ドラム(1) の表面から離脱して落下し、紙類受け槽(7) に収容される。出入れロッド(4) に付着したプラスチック類(11)は、外ドラム(1) 内に退入するさいに貫通孔(2) の縁部にこすられて、外ドラム(1) の表面に付着する。外ドラム(1) の表面に付着したプラスチック類(11)は、掻き取り装置(8) により掻き取られて同表面から落下し、プラスチック受け槽(9) に収容される。こうして、加熱された出入れロッド(4) に付着するプラスチック類(9) とこれ以外の紙類(10)とが分別回収される。
【００１５】
【発明の効果】
この発明のプラスチック分別装置によると、紙類およびプラスチック類を含む破砕廃棄物が回転中の外ドラム上に投下されると、破砕廃棄物のうち、プラスチック類は、加熱された出入れロッドに接触し、溶融付着する。紙類は、外ドラムの表面から離脱して落下し、紙類受け槽に収容される。出入れロッドに付着したプラスチック類は、出入れロッドが外ドラム内に退入するさいに貫通孔の縁部にこすられて、外ドラムの表面に付着する。外ドラムの表面に付着したプラスチック類は、掻き取り装置により掻き取られて同表面から落下し、プラスチック受け槽に収容される。こうして、加熱された出入れロッドに付着するプラスチック類とこれ以外の紙類とが分別回収される。木片などは、加熱された出入れロッドに付着しないため紙類受け槽に収容されるので、プラスチック受け槽にはプラスチック類のみが回収される。
【図面の簡単な説明】
【図１】この発明によるプラスチック分別装置を概略的に示す図である。
【符号の説明】
(1)     外ドラム
(1a)    外ドラム軸
(2)     貫通孔
(3)     内ドラム
(3a)    内ドラム軸
(4)     出入れロッド
(5)     加熱装置
(6)     破砕廃棄物投下装置
(7)     紙類受け槽
(8)     掻き取り装置
(9)     プラスチック類受け槽
(10)    紙類
(11)    プラスチック類
【図１】
0003764997.tif 000002